(57)【要約】      （修正有）【課題】持枠を省略することでコンパクト化を図れ、縦置き型と横置き型との両方で使用することができ、しかも、その切り替えが簡単であり、使い易さと汎用性に優れたケーブル等の繰出装置を提供する。【解決手段】巻束がその内側の開口部を通すようにして取り付けられる巻束取付部２と、巻束取付部２の取り付けた巻束の巻巾方向における両端に各々設けられているフランジ部３とを具備し、各フランジ部３を相対させた二枚のプレートで構成し、外側に位置する外プレート５の外形を内側の内プレート３よりも大きくし、外プレート５と内プレート４とを互いに回転自在となるように連結して、両側の内プレート４と巻束取付部２とを一体回転可能に連結する。そして、巻束取付部２を内プレート４間に架設する複数の棒状の支持部材９で構成し、これらの支持部材９を内プレート４の周方向に間隔をあけて配置する。【選択図】図１
0003115793.tif 000002
【実用新案登録請求の範囲】
【請求項１】
配線用のケーブルやコードの巻束を装着し、装着した前記巻束から順次ケーブルやコードを繰り出す装置であって、前記巻束がその内側の開口部を通すようにして取り付けられる巻束取付部と、同巻束取付部の取り付けた前記巻束の巻巾方向における両端に各々設けられているフランジ部とを具備するケーブル等の繰出装置において、
前記各フランジ部が相対させた二枚のプレートで構成されており、外側に位置する外プレートの外形が内側の内プレートよりも大きく、前記外プレートと内プレートとは互いに回転自在となるように連結されていて、両側の前記内プレートと前記巻束取付部とが一体回転可能に連結されており、
前記巻束取付部は前記内プレート間に架設された複数の棒状の支持部材からなり、これらの支持部材は前記内プレートの周方向に間隔をあけて配置されており、前記各支持部材は長手方向に伸縮可能で、且つ、前記内プレートの半径方向に移動可能になっていることを特徴とするケーブル等の繰出装置。
【請求項２】
前記外プレートの外周端部を前記内プレート側に向かって延長して縁部が設けられ、この縁部が前記内プレートの内側面と段差が無く、且つ、前記内プレートの外周面との間の隙間が小さくなるように形成されていることを特徴とする請求項１記載のケーブル等の繰出装置。
【請求項３】
前記各フランジ部の前記外プレートと内プレートとが、両方の中心部を貫通する支持軸によりそれぞれ連結されていることを特徴とする請求項１又は２記載のケーブル等の繰出装置。
【請求項４】
隣り合う前記支持部材どうしが伸縮可能な補強部材で連結されていることを特徴とする１〜３のいずれかに記載のケーブル等の繰出装置。
【考案の詳細な説明】
【技術分野】
【０００１】
本考案は、電線や電話線等の配線用のケーブルやコードをループ状に巻き束ねた巻束から順次ケーブルやコードを引き出すためのケーブル等の繰出装置に関する。
【背景技術】
【０００２】
ケーブル繰出装置の一般的なものとして、巻き方向が横向きになるように装着した巻束から順次ケーブルを繰り出す横置き型（平置き型とも言われる）のものや、巻き方向が縦向きになるように巻束を装着する縦置き型などがある。
【０００３】
例えば、横置き型のケーブル繰出装置には、円盤状のターンテーブルの上に巻束を載置する十字型の受部材（支受面形成部材）が取り付けられ、この受部材に巻束を内側から支持するための巻束体内径支持体を立設したものが公知技術としてある（例えば、特許文献１参照）。この繰出装置に巻束をセットしてケーブルの端を引張るとターンテーブルが回転し、絡みや捩れが生じることなく巻束から順次ケーブルを引き出すことができる。
【０００４】
一方、縦置き型のケーブル繰出装置は、ケーブルを巻き付けるリール（ケーブル保持車輪）と、リールを縦回転可能に支持する支持フレーム（支持固定部材）とを備えているものが実用化されている（例えば、特許文献２参照）。
【０００５】
また、作業場所によっては縦置き型の方が都合が良い場合、例えば、床に置いたケーブル繰出装置から引き出したケーブルを天井まで引き上げて作業する場合や、逆に横置き型の方が使い易い場合等もあるため、縦横兼用型のケーブル繰出装置が提案され実用化されており、例としては次のようなものがある。この縦横兼用型のケーブル繰出装置は、リールとリールを回転自在に支持する支持枠とを備え、リールの一方のフランジ部に固定軸部が固着されており、他方のフランジ部に着脱軸部が付設されている。そして、固定軸部及び着脱軸部を、支持枠の両側に各々設けられている上方開口凹部に着脱可能に枢着して、リールを支持枠に取り付ければ縦型として使用することができる。
【０００６】
また、横置き型として使用する場合には、支持枠からリールを取り外すとともに、リールから着脱軸部を取り外し、着脱軸部を取り外した方のフランジ部を下にしてリールを複数段に積み重ねる。この際、リールは着脱軸部を取り外したあとのフランジ部の孔部を、下側に配置されているリールの固定軸部に回転自在に嵌め込まれて積み重ねられるので、横向きに積み上げたリールからケーブルの繰り出しを行うことができる（例えば、特許文献３参照）。
【特許文献１】実公平０８−３４２１号公報（第１〜３頁、第１図）
【特許文献２】実開平０６−３９８５４号公報（第６〜１０頁、第１〜３図）
【特許文献３】実開平０６−４７２６５号公報（第１１頁、第６図）
【考案の開示】
【考案が解決しようとする課題】
【０００７】
しかしながら、上述のような縦横兼用型のケーブル繰出装置は、横置き型として使用する場合と縦置き型として使用する場合とでリールを支持枠から降ろしたり、支持枠に載せたりする作業を要するので置き方を変更するのに手間がかかり、使い易さの点で問題ある。また、煩雑な作業現場等では支持枠が邪魔になり置きにくいことがあり、これまた使いづらい場合がある。
【０００８】
そこで本考案は、支持枠を省略することでコンパクト化を図れ、縦置き型と横置き型と
の両方で使用することができ、しかも、その切り替えが簡単であり、使い易さと汎用性に優れたケーブル等の繰出装置を提供することを目的としている。
【課題を解決するための手段】
【０００９】
上記の課題を解決するため請求項１に記載のケーブル等の繰出装置は、配線用のケーブルやコードの巻束を装着し、装着した前記巻束から順次ケーブルやコードを繰り出す装置であり、前記巻束がその内側の開口部を通すようにして取り付けられる巻束取付部と、同巻束取付部の取り付けた前記巻束の巻巾方向における両端に各々設けられているフランジ部とを具備するケーブル等の繰出装置において、前記各フランジ部が相対させた二枚のプレートで構成し、外側に位置する外プレートの外形を内側の内プレートよりも大きくして、前記外プレートと内プレートとを互いに回転自在となるように連結し、両側の前記内プレートと前記巻束取付部とを一体回転可能に連結する。
【００１０】
さらに、前記巻束取付部を前記内プレート間に架設した複数の棒状の支持部材で構成し、これらの支持部材を前記内プレートの周方向に間隔をあけて配置し、前記各支持部材を長手方向に伸縮可能で、且つ、前記内プレートの半径方向に移動可能にすることを特徴としている。
【００１１】
この請求項１記載のケーブル等の繰出装置によれば、従来品のような支持枠等がない分コンパクトで、且つ、縦置き型と横置き型との切り替えを手軽に行えるようになる。
【００１２】
即ち、前記一対のフランジ部が上下の配置になるように前記ケーブル等の繰出装置を置くと、下側の前記フランジ部の前記内プレートは前記外プレート上で自在に回転し、前記内プレートと連結されている前記巻束取付部が横回転するので、横置き型のケーブルの繰出装置として機能する。
【００１３】
一方、前記一対のフランジ部が左右の配置になるようにして置くと、前記外プレートと前記内プレートとの外形の違いによって、前記内プレートと前記巻束取付部とは両側の前記外プレートに支持されて自在に縦回転する状態になるので、縦置き型のケーブル繰出装置として機能するのである。
【００１４】
このように、ケーブル等の巻束を支持する前記巻束取付部は両側の前記フランジ部によって、前記ケーブル繰出装置の置き方に関係なく自在に回転できるようになっているため、従来品のような支持枠等を設ける必要がなく形状をコンパクトにすることができ、しかも、縦置き型と横置き型との切り替えが、前記ケーブル等の繰出装置を起こしたり寝かせたりするだけで行える。
【００１５】
また、前記支持部材を長手方向に伸縮可能にすれば、前記巻束取付部材の長さを変更することができ、前記支持部材を前記内プレートの半径方向に移動可能にすれば、前記巻束取付部の径を変更することができるので、巻径や巻巾が異なる色々なサイズの巻束を装着可能になる。つまり、様々な太さや長さのケーブル等を前記巻束取付部に巻き取って使用することが可能になる。
【００１６】
なお、前記支持部材の伸縮は、例えば、前記支持部材を長さ方向に分割し一方の分割部に雄ねじを設けるとともに、他方の分割部には前記雄ねじに螺合可能な雌ねじ部を形成して、この雌ねじ部への前記雄ねじの締め込み具合を調節することで行ったり、或いは、前記支持部材を小径と大径の筒状部で構成し、小径の筒状部を大径の筒状部に出し入れすること等により行うことができる。
【００１７】
請求項２記載のケーブル等の繰出装置は、外プレートの外周端部を前記内プレート側に
向かって延長して縁部を設け、この縁部を前記内プレートの内側面と段差が無く、且つ、前記内プレートの外周面との間の隙間が小さくなるように形成することを特徴としている。
【００１８】
請求項２記載のケーブル等の繰出装置によれば、前記縁部を設けたことで前記内プレートの内側面と前記外プレートの内側面とが面一になるため、縦置き型として用いた場合に、弛んだケーブル等の前記内プレートの外周面への引っ掛かりや、前記内プレートと前記外プレートとの間に噛み込みを防止することができる。また、横置き型として用いた場合に、ケーブル等が前記隙間に嵌り込むのを防止することができる。
【００１９】
請求項３のケーブル等の繰出装置は、各フランジ部の外プレートと内プレートとを、両方の中心部を貫通させた支持軸により連結することを特徴としている。
【００２０】
請求項３のケーブル等の繰出装置によれば、両側の前記フランジ部の間に支持軸を架設する場合に比べ軽量化することができるし、両側の前記フランジ部の間隔を変更する場合にも長さを調整するなどの手間が省ける。
【００２１】
請求項４記載のケーブル等の繰出装置は、隣り合う支持部材どうしを伸縮可能な補強部材で連結することを特徴としている。この請求項４記載のケーブル等の繰出装置によると、前記支持部材で構成されている前記巻束取付部の強度を増すことができる。しかも、前記補強部材を伸縮可能にすることで前記支持部材の位置変更にも追随することができるため、前記巻束取付部の径や幅の変更にも対応することができる。
【考案の効果】
【００２２】
本考案のケーブル等の繰出装置によると、コンパクト化できるため持ち運び易く、また、置き場所にも困らないため配線工事等がし易くなる。しかも、横置き型又は縦置き型への切り替えが簡単に行えるため、作業内容に対応した使い方ができ工事等を効率良く行なえるようになる。また、太さや長さが異なる様々な種類のケーブルやコードに対して使用が可能になり汎用性のある装置とすることができる。
【００２３】
さらに、請求項２のようにすれば、ケーブルやコードの繰り出しが円滑に行えるため、さらに効率良く配線工事が行えるし、請求項３のようにすれば、軽量化できるので持ち運びがし易く、且つ、巻束装着後の組み立ても手軽に行えるケーブル等の繰出装置の提供が可能になる。それから、請求項４のようにすれば、巻束取付部の強度が上がるため、重量のあるケーブルでも使用することが可能になる。
【考案を実施するための最良の形態】
【００２４】
以下に、本考案にかかるケーブル等の繰出装置の実施形態について図１〜８を参照しながら説明する。
【００２５】
図１はケーブル等の繰出装置１（以下、繰出装置１とも言う）に電線Ｃの巻束を装着した状態の斜視図である。そして、図２は図１の繰出装置１をその直径方向にカットした場合の断面図を示している。
【００２６】
繰出装置１は、電線Ｃの巻束を支持する巻束取付部２の両端に、両側一対のフランジ部３を各々設けたものである。
【００２７】
各フランジ部３は相対させた二枚の円形のプレートで構成されており、これらのプレートのうち外側に配置されている外プレート５は他方の内プレート４よりも直径が大きくなるように形成されており、外周端部を断面形状がコの字型になるように内プレート４側に
屈曲させ、その先端面を内プレート４の外周面と近づけた状態で対峙させるようにした縁部が形成されている。
【００２８】
内プレート４と外プレート５とは中心部でねじ６によって連結されており、このねじ６にはカラー７が外装されていて、カラー７（支持軸）は内プレート４の中心部を貫通し端部が外プレート５の側面に当接した状態で固定されている。そして、内プレート４のカラー７の貫通孔４ａにはベアリング８が取り付けられており、内プレート４はカラー７によって円滑に回転できるように支持されている。
【００２９】
内プレート４には図３に示すように、半径方向に延びる長孔４ｂが９０°毎に形成されていて、両側の内プレート４の対向する長孔４ｂ間に巻束取付部２を構成している支持部材９が架設されている。支持部材９は円形状の断面を有し端部に雌ねじ９ａが切ってあり、この雌ねじ９ａに長孔４ｂを挿通させたねじ１０を螺合させることで両側の内プレート４に固定されている。このねじ１０を緩めると棒状部品４は長孔４ｂの長手方向に移動させることができるため、巻束の内径に応じて調整できるようになっている。また、長孔４ｂの横には目盛１１を設けて支持部材９の位置調整をし易くしている。
【００３０】
この支持部材９は長手方向に２分割されており、一方の分割部１２の分割面には雄ねじ１２ａを突設するとともに、他方の分割部１３の分割面に雌ねじ１３ａを穿設し、これらを螺合させることで分割部１２・１３どうしが連結されている。そして、雌ねじ１３ａに対する雄ねじ１２ａの締め込み深さを調節することで支持部材９の全長の調節が可能であるため、両内プレート４の間の距離、即ち、両フランジ部３の間の距離を変更することができる。
【００３１】
さらに、内プレート４の外側の面には外周部と内周部とに、スラストベアリング１４が同心円状にそれぞれ設けられており、内プレート４と外プレート５とが互いに円滑に回転できるようになっている。
【００３２】
外プレート５は内プレート４よりも大径に形成されており、外周部は断面形状が内プレート側にコ字型に屈曲した形状に形成されており、その先端面は内プレート４の外周端面と対峙した状態になっている。
【００３３】
次に、この繰出装置１の作用について説明する。電線Ｃの巻束を繰出装置１に装着するには、各フランジ部３の外プレート５を中心部のねじ６を緩めて取り外し、続いて内プレート４の片方を、各長孔４ｂのねじ１０を緩めて取り外す。そして、他方の内プレート４の長孔４ｂに止めているねじ１０を緩めて支持部材９を動かし、巻束の内径に合う位置に調節して再びねじ１０を締める。また、内プレート４に固定されている方とは反対側の分割部１２又は分割部１３を回し、支持部材９の全長を巻束の巻巾に合わせて調節する。
【００３４】
そして、電線Ｃの巻束を内側の開口部を束取付部２に通すようにして取り付け、取り外した内プレート４と外プレート５とを再びねじ止めして取り付ける。
【００３５】
こうして電線Ｃの巻束が装着された繰出装置１を両側のフランジ部３が上下になるように配置したうえで電線Ｃの端を引張って電線Ｃを引き出すと、内プレート４が下側の外プレート５上でスラストベアリング１４に支持されつつ回転するため、それに伴って巻束が装着されている巻束取付部２が横回転し、巻束から電線Ｃがスムーズに繰り出されるのである。繰り出す際に、内プレート４の外周面と外プレート５の縁部との隙間を小さくしたことで、弛んだ電線Ｃが隙間に噛み込むことが無い。
【００３６】
また、繰出装置１を両側のフランジ部３が左右に位置するようにして配置して電線Ｃを
引き出せば、両側の内プレート４が両外プレート５に固定しているカラー７を中心にして回転し巻束取付部２が縦回転するため、巻束から電線Ｃがスムーズに繰り出される。この際、外プレート５に設けた縁部によって外プレート５の内面とプレート４の内面とは面一で段差が無い状態であるため、電線Ｃに弛みが生じた場合にも内プレート４の外周面に引っ掛かったり、内プレート４と外プレート５との間に嵌り込むことが無い。
【００３７】
さらに、繰出装置１を斜めに置いた場合も内プレート４が外プレート５に対して回転自在になっているため、巻束取付部２の巻束をスムーズに引き出すことができる。
【００３８】
このように、繰出装置１はその置き方に依存することなく巻束取付部２の巻束から電線Ｃをスムーズに引き出すことができるので作業場所に合わせた使い方ができる。
【００３９】
なお、本実施形態の繰出装置１は外プレート５が円板状に形成されているため、縦置きする場合には転がらないように止めておくと作業がし易いが、その場合、図４に示すようなラック１５を用いれば縦置きした繰出装置１が転がらず、巻束から電線Ｃをスムーズに引き出すことができる。このラック１５は２本のパイプ部材を平行に並べて両端を短いパイプ部材でそれぞれ連結して受部１５ａとし、受部１６の四隅に各々脚１５ｂを設けたもので、受部１５ａのパイプ部材の間隔は繰出装置１の径よりも小さくなっている。したがって、受部１５ａの長手方向と繰出装置１の幅方向を合わせてラック１５の受部１５ａに繰出装置１を載せると、両側のフランジ部３がパイプ部材間で係止された状態で保持される。
【００４０】
また、図５に示すように、各外プレート５の外周面に一対の突出部５ａをそれぞれ設けておけば、縦置きした繰出装置１の転がりを防止できるのでラックが不要になるし、外周面の一部を平らな面に形成すれば同様の効果を期待できる。
【００４１】
さらに別の例として図６に示すように、パイプ部材で形成された軸部材１６を各フランジ部３の中心部を貫通するように取り付け、この軸部材１６に支持棒Ａを貫通させることで繰出装置１を回転可能に支持させることもできる（図７参照）。
【００４２】
軸部材１６は径の異なる２本の円管からなり、小径の円管１７に大径の円管１８を外装して大径の円管１８の端部に取り付けている止めねじ１９を締め、止めねじ１９の先端を内側にある小径の円管１７の外周面に押圧することによって２本の円管が連結されている。したがって、止めねじ１９を緩めると２本の円管のラップ代を変えることができるので、軸部材１６の長さを調節することができる。軸部材１６の両端外周面には雄ねじ部１７ａ・１８ａが設けられており、各外プレート５の外側面から突出させた雄ねじ部１７ａ・１８ａにナット２０・２１を螺合させることによって外プレート５間に架設されている。
【００４３】
それから、径が太いなど単位長さ当りの重量が重い電線の巻束を装着する場合、巻束取付部２の強度が不足する場合もあるため図８に示すように、隣り合う支持部材９を補強部材２２で連結することもできる。補強部材２２は小径の円管２３と大径の円管内２４とからなり、小径の円管２３の一端部が隣り合う支持部材９のうちの一方（図８では分割部１３に取り付けている）に取り付けられ、大径の円管２３の一端部が他方に取り付けられている。そして、大径の円管２４内に小径の円管２３の他端部が挿入され、大径の円管２４の他端部に設けている締付ねじ２５を締めることによって、小径の円管２３を固定できるようになっている。
【００４４】
こうして、隣り合う棒状部材９を補強部材２２で連結しておくと、棒状部材９の撓みを防止できるため巻束取付部２の強度アップを図ることができる。特に、両側のフランジ部３の幅を広くした場合、棒状部材９は長さが伸びて撓み易くなるため、補強部材２２を設
けて折損などを防ぐことができる。
【００４５】
なお、本実施例では巻束取付部２に電線Ｃを予めループ状に巻いた巻束を装着しているが、巻束取付部２を回転させて巻き取っても良い。
【図面の簡単な説明】
【００４６】
【図１】本考案にかかるケーブル等の繰出装置の実施形態であり、電線の巻束を装着した状態を示す斜視図である。
【図２】図１のケーブル等の繰出装置をフランジ部の径方向にカットした場合の断面図である。
【図３】図１のケーブル等の繰出装置の外プレートを取り外した状態を示す側面図である。
【図４】図１のケーブル等の繰出装置の一つの設置状態を示す説明図である。
【図５】本発明にかかるケーブル等の繰出装置の別の実施形態を示す斜視図である。
【図６】本発明にかかるケーブル等の繰出装置の別の実施形態を示しており、フランジ部の半径方向にカットした場合の断面図である。
【図７】図５のケーブル等の繰出装置を一つに設置状態を示す説明図である。
【図８】隣り合う支持部材どうしが補強部材で連結されている状態を示しており、両フランジ部間におけるフランジ部と平行な断面図である。
【符号の説明】
【００４７】
１      ケーブル等の繰出装置（繰出装置）
２      巻束取付部
３      フランジ部
４      内プレート
４ｂ    長孔
５      外プレート
７      カラー
９      支持部材
Ｃ      電線
【図１】
0003115793.tif 000003
【図２】
0003115793.tif 000004
【図３】
0003115793.tif 000005
【図４】
0003115793.tif 000006
【図５】
0003115793.tif 000007
【図６】
0003115793.tif 000008
【図７】
0003115793.tif 000009
【図８】
0003115793.tif 000010